(57)【特許請求の範囲】
【請求項１】
コンタクトレンズ（１４）を収納するレンズ収容部（３）を有するケース本体（２）と、前記レンズ収容部（３）を密封するキャップ（１１）とを備えたコンタクトレンズ用の保管ケース（１）において、
前記レンズ収容部（３）の底部（６）を前記キャップ（１１）方向に隆起する凸状に形成すると共に、ケース本体（２）よりも柔らかい軟質な原材料を用いて形成した凹凸（８）を前記底部（６）の表面に別体に固定したことを特徴とするコンタクトレンズ用の保管ケース。
【請求項２】
凹凸（８）が、複数の小突起（８ａ）を不規則に配置したものである請求項１記載のコンタクトレンズ用の保管ケース。
【請求項３】
凹凸（８）が、複数の小突起（８ａ）を同心円状に沿って配置したものである請求項１又は２記載のコンタクトレンズ用の保管ケース。
【請求項４】
凹凸（８）が、複数の環状凹リブ（８ｂ）又は環状凸リブ（８ｃ）を同心円状に配置したものである請求項１又は２記載のコンタクトレンズ用の保管ケース。
【請求項５】
凹凸（８）が、複数の縦長状凸リブ（８ｄ）を放射状に配置したものである請求項１又は２記載のコンタクトレンズ用の保管ケース。
【請求項６】
底部（６）の凸状を、コンタクトレンズ（１４）の曲率半径と略等しい曲率半径で形成した請求項１乃至５のいずれか一項に記載のコンタクトレンズ用の保管ケース。
【発明の詳細な説明】
【技術分野】
【０００１】
本発明は、コンタクトレンズを収納する保管ケースに関わり、特にコンタクトレンズの保管及び洗浄が可能なコンタクトレンズ用の保管ケースに関する。
【背景技術】
【０００２】
コンタクトレンズは、１日使い捨てコンタクトレンズを除き、夜寝る前にコンタクトレンズを眼から外して専用のケース内に保管し、翌朝ケースから取り出して眼に装着するという使い方が一般的である。このようなコンタクトレンズ用の保管ケースとしては、例えば特許文献１に示すような技術が開示されている。
【先行技術文献】
【特許文献】
【０００３】
【特許文献１】特開２０００−２８１１６２号公報
【発明の概要】
【発明が解決しようとする課題】
【０００４】
コンタクトレンズでは、装着時に涙液や眼脂に由来する蛋白質、脂質等の汚れなどが付着する。このため、コンタクトレンズを安全に且つ快適に使用し続けるためには、特に装着面を洗浄して汚れを完全に除去することが必要である。
【０００５】
洗浄方法としては、従来は、一方の掌にコンタクトレンズを置いて、専用の洗浄液を用い、他方の指で直接擦り洗いすることにより行っていた。そのため、洗浄力を高めるためには、指先を予め洗浄し、油脂分などの汚れを取り除いておく必要があることから煩雑であるという問題があった。また付け爪や、長い爪のほか、手荒れした指先で擦ると、コンタクトレンズを傷つけることがあるという問題もあった。
【０００６】
本発明は、上記した従来技術における問題点を解消すべく、コンタクトレンズの保管だけでなく、装着面の洗浄を簡単な構成で且つコンタクトレンズを傷つけることなく手軽に行えるようにしたコンタクトレンズ用の保管ケースを創出することを課題とする。
【課題を解決するための手段】
【０００７】
上記課題を解決するための手段のうち、本発明の主たる構成は、
コンタクトレンズを収納するレンズ収容部を有するケース本体と、レンズ収容部を密封するキャップとを備えたコンタクトレンズ用の保管ケースにおいて、
レンズ収容部の底部を、キャップ方向に隆起する凸状に形成すると共に、ケース本体よりも柔らかい軟質な原材料を用いて形成した凹凸を前記底部の表面に別体に固定したことを特徴とする、と云うものである。
【０００８】
上記構成のコンタクトレンズ用の保管ケースでは、眼から外したコンタクトレンズの装着面をレンズ収容部内で底部にセットすると装着面と凹凸との接触が達成され、指でコンタクトレンズの表面側を軽く押さえ付けた状態で前後方向または左右方向に移動させ、あるいは回転させることが可能となる。
【００１２】
また凹凸をケース本体よりも軟質な原材料で形成することにより、コンタクトレンズへの柔らかな接触を達成する。
【００１３】
本発明の他の構成は、請求項１又は２記載の発明において、凹凸が、複数の小突起を不規則に配置したもの、または凹凸が、複数の小突起を同心円状に沿って配置したもの、と云うものである。
【００１４】
また本発明の他の構成は、請求項１又は２記載の発明において、凹凸が、複数の環状凹リブ又は環状凸リブを同心円状に配置したもの、と云うものである。
【００１５】
さらに本発明の他の構成は、請求項１又は２記載の発明において、凹凸が、複数の縦長状凸リブを放射状に配置したもの、と云うものである。
上記各構成では、コンタクトレンズの装着面への凹凸の効率的な接触を確実に達成する。
【００１６】
さらに本発明の他の構成は、請求項１乃至５のいずれか一項に記載の発明において、底部の凸状を、コンタクトレンズの曲率半径と略等しい曲率半径で形成した、と云うものである。
【００１７】
上記構成では、レンズ収容部内の、底部の凸状の曲率半径をコンタクトレンズの曲率半径に略一致させることにより、コンタクトレンズの装着面に対する複数の凹凸の均等な接触を達成する。
【発明の効果】
【００１８】
本発明は、上記した構成となっているので、以下に示す効果を奏する。
本発明の主たる構成においては、装着面が凹凸上を摺動したときに、凹凸が装着面に付着している蛋白質、脂質等の汚れを擦り落とすことにより、コンタクトレンズに対する洗浄力を高めることができる。しかも、コンタクトレンズの装着面（裏面）側を底部に載せた状態で、表面側を軽く押さえて擦り付けるだけでよいため、コンタクトレンズを手軽に洗浄することができる。
【００２０】
また凹凸を、ケース本体よりも柔らかい軟質な原材料を用いて底部とは別体に形成したことにより、コンタクトレンズの装着面を凹凸に擦り付けても、凹凸がコンタクトレンズを傷つけることなく、汚れだけを確実に除去することが可能となる。
【００２１】
また、凹凸が、複数の小突起を不規則に配置した構成では、装着面に付着する様々な汚れに対する洗浄力を高めることができる。
【００２２】
また複数の小突起を同心円状に沿って配置した構成としたものでは、装着面に付着する様々な汚れに対する洗浄力を高めることができると共に、洗浄後においては隣接する小突起間に詰まりやすい汚れを簡単に除去することができるため、高い洗浄力を維持することが容易となる。
【００２３】
複数の環状凹リブ又は環状凸リブを同心円状に配置した構成、または複数の縦長状凸リブを放射状に配置した構成では、これらの凹凸がコンタクトレンズの装着面に対して効率的に接触するため、指先でコンタクトレンズの表面側を軽く押して装着面を凹凸に押し付け、この状態で指先を前後左右方向、または回転方向に移動させることにより、装着面に付着している汚れ等を確実に除去することが可能となる。
【００２４】
さらに底部を、コンタクトレンズの曲率半径と略等しい曲率半径で形成した構成にあっては、複数の凹凸が装着面に均等に接触するようになり、装着面に付着している汚れを効果的に除去することが可能となると共に、保管時においてはコンタクトレンズの妄りな変形を防止できる。
【図面の簡単な説明】
【００２５】
【図１】本発明のコンタクトレンズ用の保管ケースを示す側面図である。
【図２】図１のコンタクトレンズ用の保管ケースに対応する平面図である。
【図３】図１のコンタクトレンズ用の保管ケースに対応する断面図である。
【図４】ケース本体の詳細を拡大して示す断面図である。
【図５】洗浄時の様子を示すレンズ収容部の拡大断面図である。
【図６】レンズ収容部内の底部に形成された凹凸の規則的なパターンの第１実施例（ドット）を示し、Ａは底部の平面図、Ｂはレンズ収容部の部分的な半断面図である。
【図７】レンズ収容部内の底部に形成された凹凸の規則的なパターンの第２実施例（環状凹リブ）を示し、Ａは底部の平面図、Ｂはレンズ収容部の部分的な半断面図である。
【図８】レンズ収容部内の底部に形成された凹凸の規則的なパターンの第３実施例（環状凸リブ）を示し、Ａは底部の平面図、Ｂはレンズ収容部の部分的な半断面図である。
【図９】レンズ収容部内の底部に形成された凹凸の規則的なパターンの第４実施例（縦長状凸リブ）を示し、Ａは底部の平面図、Ｂはレンズ収容部の部分的な半断面図である。
【発明を実施するための形態】
【００２６】
以下、本発明の実施の形態について図面を参照しつつ説明する。
図１は本発明のコンタクトレンズ用の保管ケースを示す側面図、図２は図１のコンタクトレンズ用の保管ケースに対応する平面図、図３は図１のコンタクトレンズ用の保管ケースに対応する断面図、図４はケース本体の詳細を拡大して示す断面図である。なお、図４では底部の構成について左右のレンズ収容部で異なる態様を示しており、左のレンズ収容部が実施例を示し、右のレンズ収容部が参考例を示している。
【００２７】
図１乃至図４に示すように、本発明のコンタクトレンズ用の保管ケース１は、左右一対のレンズ収容部３，３を備えたケース本体２と、各レンズ収容部３，３を密封する一対のキャップ１１，１１を有して構成される。両眼に装着されるコンタクトレンズ１４，１４は、それぞれ一方のレンズ収容部３と他方のレンズ収容部３に保管される。
【００２８】
レンズ収容部３は、外周面に螺条５が周設された短円筒形状の周壁４で構成されている。一方のレンズ収容部３と他方のレンズ収容部３とは、左右に並んだ状態でフランジ９を介して一体に連結されている。各レンズ収容部３の下部側には、縦板状の脚部１０が放射状に形成されており、これら複数の脚部１０によってケース本体２の全体が水平且つ安定的に支持されている。
【００２９】
周壁４の下部には、周壁４の下縁部に対して中央部分が周壁４の上縁部方向（キャップ１１方向）に向かって凸状に隆起する底部６が一体に形成されている。そして、この底部６に後述する凹凸８が形成されている。またキャップ１１にはネジ部１２が設けられており、周壁４の螺条５に螺着させることにより、レンズ収容部３を密封できるようになっている。
【００３０】
図４に示すように、レンズ収容部３の底部６には複数の凹凸８が形成されている。凹凸８は、図４の左側に示すレンズ収容部３のように底部６とは別部材であるシート７上に凹凸８を形成し、このシート７を底部６に固定するようにした構成がよい。
【００３１】
またシート７は、底部６を形成するケース本体２よりも柔らかい軟質な原材料、例えばゴム状の弾力性を有するエラストマーなどにより形成されたものがよい。
【００３２】
図５に示すように、この保管ケース１では、洗浄液などの薬液１３が充填されたレンズ収容部３内に、コンタクトレンズ１４がその装着面（裏面）１４ｂ側を底部６方向に向けた状態でセットされる。そして、指先１５でコンタクトレンズの表面１４ａ側を軽く押さえ付け、この状態で前後方向または左右方向に移動させ、あるいはその場で回転させることにより洗浄作業が行われる。この洗浄作業では、凹凸８がコンタクトレンズ１４の装着面１４ｂを相対的に摺動し、このとき装着面１４ｂに付着している蛋白質や脂質等の汚れなどが除去されることになる。なお、凹凸８を軟質な原材料で形成しておくと、凹凸８が装着面１４ｂを摺動しても洗浄中のコンタクトレンズ１４の傷つきを防止することができる。
【００３３】
そして、続いてレンズ収容部３内を保存液などの薬液１３で満たし、キャップ１１を締め付けてレンズ収容部３を密封することによりコンタクトレンズ１４を保管することが可能となる。
【００３４】
このように、本発明では、コンタクトレンズ１４の洗浄と保管とを同じ保管ケース１を用いて行うことができるため、使用者の手間を軽減することができる。
また本発明では、コンタクトレンズ１４を装着面１４ｂの洗浄作業に続いて保管することができるため、常に装着面１４ｂの向きを下方の底部６側に向けた状態で保管することが可能となる。このため、次回使用する際には、コンタクトレンズ１４の表裏を改めて確認する必要がなく、コンタクトレンズ１４の装着時に、表裏を間違えることなく迅速且つ正確に行うことができる。
【００３５】
しかも、本発明では、従来のようにコンタクトレンズ１４を一方の掌の上に載せて、他方の指を使用して洗浄する必要がない。すなわち、指先一本のみで洗浄することが可能となるため、洗浄に要する手間を大幅に軽減することができる。
【００３６】
次に、凹凸８の規則的なパターンについての実施例を説明する。なお、以下の実施例では底部６の表面に凹凸８を一体に形成した場合を示して説明するが、凹凸８が形成されたシート７を底部６に固定する態様（図４の左図の態様）が実際の態様である。
【００３７】
図６はレンズ収容部内の底部に形成された凹凸の規則的なパターンの第１実施例（ドット）を示し、Ａは底部の平面図、Ｂはレンズ収容部の部分的な半断面図である。この第１の実施例は、凹凸８として複数の小突起８ａを、底部６の表面に同心円状に配置した仮想円Ｃ１，Ｃ２の周上で且つ底部６の中心から見て八方向の位置にドット状に形成したものである。
【００３８】
図７はレンズ収容部内の底部に形成された凹凸の規則的なパターンの第２実施例（環状凹リブ）を示し、Ａは底部の平面図、Ｂはレンズ収容部の部分的な半断面図である。第２の実施例は、凹凸８として環状に形成された複数の凹リブ（環状凹リブ）８ｂを、底部６の表面に同心円状に配置したものである。
【００３９】
図８はレンズ収容部内の底部に形成された凹凸の規則的なパターンの第３実施例（環状凸リブ）を示し、Ａは底部の平面図、Ｂはレンズ収容部の部分的な半断面図である。第３の実施例は、凹凸８として環状に形成された複数の凸リブ（環状凸リブ）８ｃを、底部６の表面に同心円状に配置したのである。
【００４０】
図９はレンズ収容部内の底部に形成された凹凸の規則的なパターンの第４実施例（縦長状凸リブ）を示し、Ａは底部の平面図、Ｂはレンズ収容部の部分的な半断面図である。第４の実施例は、凹凸８として縦長状凸リブ８ｄを、底部６の表面に底部６の中心から見て六方向の位置に放射状に配置したものである。
【００４１】
上記各実施例に示すように、凹凸８を規則的に配置することにより、凹凸８の上にコンタクトレンズ１４を載置して洗浄作業を行ったときに、凹凸８が装着面１４ｂを効率良く摺動することができるため、装着面１４ｂに付着している汚れ等を確実に除去することが可能となる。また洗浄後においては隣接する凹凸８間に詰まりやすい汚れを簡単に除去することができるため、高い洗浄力を維持することが容易となる。
【００４２】
ここで、凸状に隆起する底部６の曲率半径、すなわち底部６の表面に形成される凹凸８（小突起８ａ、環状凹リブ８ｂ、環状凸リブ８ｃ又は縦長状凸リブ８ｄ）を含めた曲率半径は、コンタクトレンズ１４の装着面１４ｂ側の曲率変形に略一致するように形成される。
【００４３】
これにより、コンタクトレンズ１４を凹凸８にセットすると、凹凸８を構成する個々の小突起８ａ、環状凹リブ８ｂ、環状凸リブ８ｃ又は縦長状凸リブ８ｄがコンタクトレンズ１４の装着面１４ｂに対して均等に接触するようになり、より効果的な洗浄を達成することができる。しかも、保管中はコンタクトレンズ１４が妄りに変形することを防止することが可能となる。
【００４４】
以上、実施例に沿って本発明の構成とその作用効果について説明したが、本発明の実施の形態は上記実施例に限定されるものではない。
【００４５】
例えば、上記第１乃至第４の各実施例では凹凸８、すなわち小突起８ａ、環状凹リブ８ｂ、環状凸リブ８ｃ及び縦長状凸リブ８ｄがそれぞれ独立して形成された構成を示して説明したが、本発明はこれに限られるものではなく、一つの底部６の表面に異なる種類の凹凸を２つ以上組み合わせて構成するものであってもよい。
【００４６】
また第１実施例では、複数の小突起８ａを、底部６の表面に同心円状に配置した仮想円Ｃ１，Ｃ２の周上で且つ底部６の中心から見て八方向の位置に規則的にパターン形成した場合を示して説明したが、本発明はこれに限られるものではなく、八方向以外の方向に形成するようにした構成であってもよい。さらには、複数の小突起８ａを底部６の表面に不規則に配置した構成であってもよい。このような構成でも、コンタクトレンズ１４の装着面１４ｂに対する洗浄力を高めることができる。
【産業上の利用可能性】
【００４７】
本発明のコンタクトレンズ用の保管ケースは、コンタクトレンズの洗浄及び保管を行う分野における用途展開をさらに広い領域で図ることができる。
【符号の説明】
【００４８】
１    ；保管ケース
２    ；ケース本体
３    ；レンズ収容部
４    ；周壁
５    ；螺条
６    ；底部
７    ；シート
８    ；凹凸
８ａ  ；小突起
８ｂ  ；環状凹リブ
８ｃ  ；環状凸リブ
８ｄ  ；縦長状凸リブ
９    ；フランジ
１０  ；脚部
１１  ；キャップ
１２  ；ネジ部
１３  ；薬液
１４  ；コンタクトレンズ
１４ａ；コンタクトレンズの表面
１４ｂ；コンタクトレンズの装着面（裏面）
１５  ；指先
【図１】
0005713235.tif 000002
【図２】
0005713235.tif 000003
【図３】
0005713235.tif 000004
【図４】
0005713235.tif 000005
【図５】
0005713235.tif 000006
【図６】
0005713235.tif 000007
【図７】
0005713235.tif 000008
【図８】
0005713235.tif 000009
【図９】
0005713235.tif 000010